(57)【要約】【課題】小型軽量でありながら優れた光学性能を有する撮像レンズおよびこれを備えた撮像装置を提供すること。【解決手段】  物体側から像面側に向かって順に、物体側に凸面を向けた正のパワーを有するメニスカスレンズとされた第１レンズ２、絞り３、および像面側に凸面を向けた正のパワーを有するメニスカスレンズとされた第２レンズ４を配設し、２０≦（ｒ３＋ｒ４）／（ｒ３−ｒ４）≦３５、０．５≦ｆ１／ｆｌ≦１（但し、ｒ３：第２レンズ４の物体側の面の中心曲率半径、ｒ４：第２レンズ４の像面側の面の中心曲率半径、ｆ１：第１レンズ２の焦点距離、ｆｌ：レンズ系全体の焦点距離）を満足する。【選択図】図１
2008129348.tif 000002
【特許請求の範囲】
【請求項１】
撮像素子の撮像面に物体の像を結像させるために使用される撮像レンズであって、
物体側から像面側に向かって順に、物体側に凸面を向けた正のパワーを有するメニスカスレンズとされた第１レンズ、絞り、および像面側に凸面を向けた正のパワーを有するメニスカスレンズとされた第２レンズを配設し、次の（１）および（２）の各条件式、
２０≦（ｒ３＋ｒ４）／（ｒ３−ｒ４）≦３５      （１）
０．５≦ｆ１／ｆｌ≦１                       （２）
但し、
ｒ３：第２レンズの物体側の面の中心曲率半径
ｒ４：第２レンズの像面側の面の中心曲率半径
ｆ１：第１レンズの焦点距離
ｆｌ：レンズ系全体の焦点距離
を満足することを特徴とする撮像レンズ。
【請求項２】
更に、次の（３）に示す条件式、
０．２≦ｆ１／ｆ２≦０．５      （３）
但し、
ｆ２：第２レンズの焦点距離
を満足することを特徴とする請求項１に記載の撮像レンズ。
【請求項３】
更に、次の（４）に示す条件式、
−１≦ｄ４／ｒ３≦−０．５      （４）
但し、
ｄ４：第２レンズの中心厚
を満足することを特徴とする請求項１または２に記載の撮像レンズ。
【請求項４】
更に、次の（５）に示す条件式、
０．４≦ｒ１／ｒ２≦１          （５）
但し、
ｒ１：第１レンズの物体側の面の中心曲率半径
ｒ２：第１レンズの像面側の面の中心曲率半径
を満足することを特徴とする請求項１〜３のいずれか１項に記載の撮像レンズ。
【請求項５】
請求項１〜４のいずれか１項に記載の撮像レンズと、撮像素子とを備えたことを特徴とする撮像装置。
【発明の詳細な説明】
【技術分野】
【０００１】
本発明は、撮像レンズおよびこれを備えた撮像装置に係り、特に、携帯型のコンピュータ、テレビ電話、携帯電話等に搭載されるＣＣＤ、ＣＭＯＳ等の撮像素子の撮像面に、風景や人物等の物体の像を結像させるカメラに用いられ、小型軽量化および光学性能の向上に好適とされた２枚レンズ構成の撮像レンズおよびこれを備えた撮像装置に関する。
【背景技術】
【０００２】
近年、例えば、携帯電話、携帯型のコンピュータやテレビ電話等に搭載するためのＣＣＤ、ＣＭＯＳ等の固体撮像素子を利用したカメラの需要が著しく高まっている。このようなカメラは、限られた設置スペースに搭載する必要があることから、小型であり、かつ、軽量であることが望まれている。
【０００３】
そのため、このようなカメラに用いられる撮像レンズも、同様に、小型軽量であることが要求されており、このような撮像レンズとしては、従来から、１枚のレンズを用いた１枚構成のレンズ系が用いられていた。
【０００４】
しかしながら、このような１枚構成のレンズ系は、ＣＩＦと呼ばれる約１１万画素程度の解像度を持った固体撮像素子に適用する場合には十分対応することができるが、近年のＶＧＡと呼ばれる約３０万画素程度の高い解像度を有する固体撮像素子や、最近の１００万画素以上のより高解像度の固体撮像素子（例えば、ＳＸＧＡ）の解像能力を十分に発揮させるには至らなかった。
【０００５】
このため、従来から、１枚構成のレンズ系に比較して光学性能に優れる２枚構成のレンズ系あるいは３枚構成のレンズ系が各種提案されていた。
【０００６】
この場合に、３枚構成のレンズ系では、光学性能の低下につながる各収差を有効に補正することができることから、極めて高い光学性能を得ることが可能となるが、３枚構成のレンズ系では、部品点数が多いことから、小型軽量化が困難であり、各構成部品に高い精度が要求されるため製造コストも高くなってしまう。
【０００７】
これに対して、２枚構成のレンズ系は、３枚構成のレンズ系ほどの光学性能を望むことはできないものの、１枚構成のレンズ系より高い光学性能を得ることができ、小型でかつ高解像度の固体撮像素子に好適なレンズ系であるといえる。
【０００８】
このような２枚構成のレンズ系としては、これまでにも、例えば、特許文献１および特許文献２に示すようなレンズ系が採用されていた。
【０００９】
【特許文献１】特開２００１−１７４７０１号公報
【特許文献２】特開２００４−４５９７８号公報
【発明の開示】
【発明が解決しようとする課題】
【００１０】
しかしながら、特許文献１に記載のレンズ系は、負のパワーを有する第１レンズと正のパワーを有する第２レンズとを配設したレトロフォーカス型のレンズ系であるため、バックフォーカス距離が長くなり過ぎ、小型軽量化には適さないといった問題点を有している。
【００１１】
また、特許文献２に記載のレンズ系は、第１レンズの像面側に配設された第２レンズが負のパワーを有するレンズであるため小型軽量化に適さない上に、第２レンズが像面側に強い凹面を持つため、テレセントリック性が悪いといった問題点を有している。
【００１２】
そこで、本発明はこのような問題に鑑みなされたもので、小型軽量でありながら優れた光学性能を有する撮像レンズおよびこれを備えた撮像装置を提供することを目的とするものである。
【課題を解決するための手段】
【００１３】
前述した目的を達成するため、本発明の請求項１に係る撮像レンズの特徴は、撮像素子の撮像面に物体の像を結像させるために使用される撮像レンズであって、物体側から像面側に向かって順に、物体側に凸面を向けた正のパワーを有するメニスカスレンズとされた第１レンズ、絞り、および像面側に凸面を向けた正のパワーを有するメニスカスレンズとされた第２レンズを配設し、次の（１）および（２）の各条件式、
２０≦（ｒ３＋ｒ４）／（ｒ３−ｒ４）≦３５      （１）
０．５≦ｆ１／ｆｌ≦１                       （２）
但し、
ｒ３：第２レンズの物体側の面の中心曲率半径
ｒ４：第２レンズの像面側の面の中心曲率半径
ｆ１：第１レンズの焦点距離
ｆｌ：レンズ系全体の焦点距離
を満足する点にある。
【００１４】
そして、この請求項１に係る発明によれば、第１レンズを物体側に凸面を向けた正のパワーを有するメニスカスレンズとし、第２レンズを像面側に凸面を向けた正のパワーを有するメニスカスレンズとし、第１レンズと第２レンズとの間に絞りを配設し、さらに、（１）および（２）の各条件式を満足するようにすることにより、小型軽量化、テレセントリック性の確保およびディストーションをはじめとした収差の良好な補正が可能となる。
【００１５】
また、請求項２に係る撮像レンズの特徴は、請求項１において、更に、次の（３）に示す条件式、
０．２≦ｆ１／ｆ２≦０．５      （３）
但し、
ｆ２：第２レンズの焦点距離
を満足する点にある。
【００１６】
そして、この請求項２に係る発明によれば、更に、（３）の条件式を満足するようにすることにより、さらなる小型軽量化および収差のさらに良好な補正が可能となる。
【００１７】
さらに、請求項３に係る撮像レンズの特徴は、請求項１または２において、更に、次の（４）に示す条件式、
−１≦ｄ４／ｒ３≦−０．５      （４）
但し、
ｄ４：第２レンズの中心厚
を満足する点にある。
【００１８】
そして、この請求項３に係る発明によれば、更に、（４）の条件式を満足するようにすることにより、倍率の色収差等の収差をさらに良好に補正することが可能となる。
【００１９】
さらにまた、請求項４に係る撮像レンズの特徴は、請求項１〜３のいずれか１項において、更に、次の（５）に示す条件式、
０．４≦ｒ１／ｒ２≦１          （５）
但し、
ｒ１：第１レンズの物体側の面の中心曲率半径
ｒ２：第１レンズの像面側の面の中心曲率半径
を満足する点にある。
【００２０】
そして、この請求項４に係る発明によれば、更に、（５）の条件式を満足するようにすることにより、さらなる小型軽量化および収差のさらに良好な補正が可能となる。
【００２１】
また、請求項５に係る撮像装置の特徴は、請求項１〜４のいずれか１項に記載の撮像レンズと、撮像素子とを備えた点にある。
【００２２】
そして、この請求項５に係る発明によれば、小型軽量化、テレセントリック性の向上およびディストーションをはじめとした収差の良好な補正が可能とされたレンズを搭載することにより、小型軽量でありながら高画質の撮像画像を得ることが可能となる。
【発明の効果】
【００２３】
本発明によれば、小型軽量でありながら優れた光学性能を有する撮像レンズおよびこれを備えた撮像装置を提供することができる。
【発明を実施するための最良の形態】
【００２４】
以下、本発明に係る撮像レンズおよび撮像装置の実施形態について、図１を参照して説明する。
【００２５】
本実施形態における撮像レンズ１は、図１に示すように、物体側から像面側に向かって順に、物体側に凸面を向けた正のパワーを有するメニスカスレンズとされた第１レンズ２と、絞り３と、像面側に凸面を向けた正のパワーを有するメニスカスレンズとされた第２レンズ４とを有している。各レンズ２、４は、樹脂材料を用いた射出成形法によって低コストに形成することができる。
【００２６】
以下、第１レンズ２および第２レンズ４における物体側および像面側の各レンズ面を、それぞれ第１面、第２面と称することとする。
【００２７】
第２レンズ４の第２面側には、カバーガラス、ＩＲカットフィルタ、ローパスフィルタ等の各種フィルタ６およびＣＣＤあるいはＣＭＯＳ等の撮像素子（固体撮像素子）の受光面である撮像面７がそれぞれ配設されており、この撮像素子と、各レンズ２、４ならびに絞り３とによって、撮像装置が構成されている。なお、各種フィルタ６は、必要に応じて省略することも可能である。
【００２８】
ここで、第１レンズ２または第２レンズ４のいずれか一方を負のパワーを有するレンズにすると、光学系の小型化が困難となる。また、絞り３を第１レンズ２の物体側に配置すると、絞り３に対して非対称な構成としているのでディストーションの補正が難しくなる。
【００２９】
したがって、本実施形態によれば、第１レンズ２を物体側に凸面を向けた正のパワーを有するメニスカスレンズとし、第２レンズ４を像面側に凸面を向けた正のパワーを有するメニスカスレンズとし、第１レンズ２と第２レンズ４との間に絞りを配設することにより、撮像レンズ１および撮像装置の小型軽量化とディストーションの補正とを両立させることが可能となる。
【００３０】
さらに、本実施形態においては、撮像レンズ１が、次の（１）および（２）の各条件式を満足するようにする。
【００３１】
２０≦（ｒ３＋ｒ４）／（ｒ３−ｒ４）≦３５      （１）
０．５≦ｆ１／ｆｌ≦１                       （２）
但し、（１）式におけるｒ３は、第２レンズ４の第１面の中心曲率半径である（以下、同様）。また、（１）式におけるｒ４は、第２レンズ４の第２面の中心曲率半径である（以下、同様）。さらに、（２）式におけるｆ１は、第１レンズ２の焦点距離である（以下、同様）。さらにまた、（２）式におけるｆｌは、レンズ系全体の焦点距離である（以下、同様）。
【００３２】
ここで、（ｒ３＋ｒ４）／（ｒ３−ｒ４）の値が（１）式に示す値（３５）よりも大きくなると、射出瞳位置が撮像面７に近くなり過ぎることにより、テレセントリック性が悪くなる。一方、（ｒ３＋ｒ４）／（ｒ３−ｒ４）の値が（１）式に示す値（２０）よりも小さくなると、ディストーションの補正が困難となる。
【００３３】
したがって、本実施形態によれば、（ｒ３＋ｒ４）／（ｒ３−ｒ４）の値を（１）の条件式を満足するようにすることにより、テレセントリック性を向上させることが可能となるとともに、ディストーションを良好に補正することが可能となる。
【００３４】
また、ｆ１／ｆｌの値が（２）式に示す値（１）よりも大きくなると、第１レンズ３のパワーが弱くなり過ぎることにより、光学系の小型化が困難となる。一方、ｆ１／ｆｌの値が（２）式に示す値（０．５）よりも小さくなると、第１レンズ２のパワーが強くなり過ぎることにより、収差の補正が困難となる。
【００３５】
したがって、本実施形態によれば、ｆ１／ｆｌの値を（２）の条件式を満足するようにすることにより、撮像レンズ１および撮像装置の小型軽量化と収差の良好な補正とをさらに有効に両立させることが可能となる。
【００３６】
なお、このｆ１とｆｌとの関係は、０．７≦ｆ１／ｆｌ≦１とされることが、より好ましい。
【００３７】
上記構成に加えて、さらに、本実施形態においては、次の（３）に示す条件式を満足するようにする。
【００３８】
０．２≦ｆ１／ｆ２≦０．５      （３）
但し、（３）式におけるｆ２は、第２レンズ４の焦点距離である（以下、同様）。
【００３９】
ここで、ｆ１／ｆ２の値が（３）式に示す値（０．５）よりも大きくなると、光学系の小型化が困難となる。一方、ｆ１／ｆ２の値が（３）式に示す値（０．２）よりも小さくなると、像面湾曲、コマ収差および倍率の色収差等の補正が困難となる。
【００４０】
したがって、本実施形態によれば、ｆ１／ｆ２の値を（３）の条件式を満足するようにすることにより、撮像レンズ１および撮像装置の小型軽量化と諸収差の補正とをさらに良好にバランスさせることが可能となる。
【００４１】
なお、このｆ１とｆ２との関係は、０．２≦ｆ１／ｆ２≦０．４とされることが、より好ましい。
【００４２】
上記構成に加えて、さらに、本実施形態においては、次の（４）に示す条件式を満足するようにする。
【００４３】
−１≦ｄ４／ｒ３≦−０．５      （４）
但し、（４）式におけるｄ４は、第２レンズ４の中心厚である。
【００４４】
ここで、ｄ４／ｒ３の値が（４）式に示す値（−０．５）よりも大きくなると、第２レンズ４の第１面のパワーが弱くなり過ぎることにより、倍率の色収差および像面湾曲を補正することが困難となる。一方、ｄ４／ｒ３の値が（４）式に示す値（−１）よりも小さくなると、負のディストーションが大きくなるとともに非点収差も大きくなる。
【００４５】
したがって、本実施形態によれば、ｄ４／ｒ３の値を（４）の条件式を満足するようにすることにより、倍率の色収差ならびに像面湾曲の補正と、負のディストーションならびに非点収差の補正とを、いずれか一方に偏らずに巧みにバランスさせることが可能となる。
【００４６】
なお、ｄ４とｒ３との関係は、−０．９≦ｄ４／ｒ３≦−０．６とされることが、より好ましい。
【００４７】
上記構成に加えて、さらに、本実施形態においては、次の（５）に示す条件式を満足するようにする。
【００４８】
０．４≦ｒ１／ｒ２≦１          （５）
但し、（５）式におけるｒ１は、第１レンズ２の第１面の中心曲率半径である（以下、同様）。また、（５）式におけるｒ２は、第１レンズ２の第２面の中心曲率半径である。
【００４９】
ここで、ｒ１／ｒ２の値が（５）式に示す値（１）よりも大きくなると、球面収差、非点収差ならびにディストーションの補正および小型軽量化が困難となる。一方、ｒ１／ｒ２の値が（５）式に示す値（０．４）よりも小さくなると、球面収差、コマ収差および非点収差の補正が困難となる。
【００５０】
したがって、本実施形態によれば、ｒ１／ｒ２の値を（５）の条件式を満足するようにすることにより、さらなる小型軽量化と、球面収差、コマ収差、非点収差およびディストーションのさらに良好な補正とが可能になる。
【００５１】
なお、ｒ１とｒ２との関係は、０．５≦ｒ１／ｒ２≦０．８とされることが、より好ましい。
【実施例】
【００５２】
次に、本発明の実施例について、図２〜図２３を参照して説明する。
【００５３】
ここで、本実施例において、Ｆｎｏは、Ｆナンバー、ωは、画角（対角画角）、ｒ は、光学面の曲率半径（レンズの場合は中心曲率半径）を示す。また、ｄは、次の光学面までの距離を示す。また、ｎｄは、ｄ線（黄色）を照射した場合における各光学系の屈折率、νｄは、同じくｄ線の場合における各光学系のアッベ数を示す。
【００５４】
ｋ、Ａ、Ｂ、Ｃ、Ｄは、次の（６）式における各係数を示す。すなわち、レンズの非球面の形状は、光軸８方向にＺ軸、光軸８に直交する方向にＸ軸をとり、光の進行方向を正とし、ｋを円錐係数、Ａ、Ｂ、Ｃ、Ｄを非球面係数、ｒを曲率半径としたとき次式で表される。
【００５５】
Ｚ（Ｘ）＝ｒ−１Ｘ２／［１＋｛１−（ｋ＋１）ｒ−２Ｘ２｝１／２］
＋ＡＸ４＋ＢＸ６＋ＣＸ８＋ＤＸ１０        （６）
また、以下の実施例において、円錐係数および非球面係数を表す数値に用いられる記号Ｅは、その次に続く数値が１０を底としたべき指数であることを示し、その１０を底としたべき指数で表される数値が、Ｅの前の数値に乗算されることを示す。例えば、−１．５９Ｅ−２は、−１．５９×１０−２であることを示す。
【００５６】
＜第１実施例＞
図２は、本発明の第１実施例として、図１に示した撮像レンズ１と同一の撮像レンズ１を示したものであり、本実施例における撮像レンズ１は、第２レンズ４の第２面と撮像面７との間にフィルタ６としてのカバーガラスを配置している。
【００５７】
この第１実施例の撮像レンズ１は、以下の条件に設定されている。
【００５８】
レンズデータ
ｆｌ＝２．１３ｍｍ、ｆ１＝１．９２ｍｍ、ｆ２＝７．４３ｍｍ、Ｆｎｏ＝３．５、ω＝６４．１°
面番号                     ｒ         ｄ         ｎｄ        νｄ
（物点）
１（第１レンズ第１面）    0.61        0.48        1.5310        56.0
２（第１レンズ第２面）    1.10        0.10
３（絞り）                0.00        0.15
４（第２レンズ第１面）   -1.23        0.85        1.5310        56.0
５（第２レンズ第２面）   -1.16        0.00
６（カバーガラス第１面）  0.00        0.30        1.5168        64.0
７（カバーガラス第２面）  0.00
（像面）
面番号   ｋ           Ａ           Ｂ          Ｃ         Ｄ
１     0           -1.59E-2       1.52       -8.72        2.71E+1
２    -7.60E-2      1.58E-1       2.14        3.79E+1    -4.77E+2
４     0           -1.74          8.93       -1.80E+2     0
５     1.19         2.50E-1      -1.46        2.95        -2.49
【００５９】
このような条件の下で、（ｒ３＋ｒ４）／（ｒ３−ｒ４）＝３５となり、（１）式を満足するものであった。また、ｆ１／ｆｌ＝０．９０となり、（２）式を満足するものであった。さらに、ｆ１／ｆ２＝０．２６となり、（３）式を満足するものであった。さらにまた、ｄ４／ｒ３＝−０．６９となり、（４）式を満足するものであった。また、ｒ１／ｒ２＝０．５５となり、（５）式を満足するものであった。
【００６０】
この第１実施例の撮像レンズ１における球面収差、非点収差およびディストーションを図３に示す。
【００６１】
この結果によれば、球面収差、非点収差およびディストーションのいずれもほぼ満足できる結果となり、充分な光学特性を得ることができることが分かる。
【００６２】
＜第２実施例＞
図４は、本発明の第２実施例を示したもので、本実施例においては、図１に示す構成の撮像レンズ１と同様に、第２レンズ４の第２面と撮像面７との間にフィルタ６としてのカバーガラスを配置している。
【００６３】
この第２実施例の撮像レンズ１は、以下の条件に設定されている。
【００６４】
レンズデータ
ｆｌ＝２．４１ｍｍ、ｆ１＝２．２９ｍｍ、ｆ２＝９．８２ｍｍ、Ｆｎｏ＝３．５、ω＝５７．８°
面番号                     ｒ         ｄ         ｎｄ        νｄ
（物点）
１（第１レンズ第１面）    0.64        0.50        1.5310        56.0
２（第１レンズ第２面）    0.98        0.10
３（絞り）                0.00        0.18
４（第２レンズ第１面）   -1.36        0.70        1.5310        56.0
５（第２レンズ第２面）   -1.27        0.00
６（カバーガラス第１面）  0.00        0.30        1.5168        64.0
７（カバーガラス第２面）  0.00
（像面）
面番号   ｋ           Ａ           Ｂ          Ｃ         Ｄ
１     0           -7.40E-3       1.28       -7.03        2.06E+1
２    -5.64E-1      6.13E-1      -7.36        1.64E+2    -9.40E+2
４     0           -1.21          3.42       -7.79E+1     0
５     1.77         8.43E-2      -1.05        2.56        -3.05
【００６５】
このような条件の下で、（ｒ３＋ｒ４）／（ｒ３−ｒ４）＝３０となり、（１）式を満足するものであった。また、ｆ１／ｆｌ＝０．９５となり、（２）式を満足するものであった。さらに、ｆ１／ｆ２＝０．２３となり、（３）式を満足するものであった。さらにまた、ｄ４／ｒ３＝−０．５２となり、（４）式を満足するものであった。また、ｒ１／ｒ２＝０．６５となり、（５）式を満足するものであった。
【００６６】
この第２実施例の撮像レンズ１における球面収差、非点収差およびディストーションを図５に示す。
【００６７】
この結果によれば、球面収差、非点収差およびディストーションのいずれもほぼ満足できる結果となり、充分な光学特性を得ることができることが分かる。
【００６８】
＜第３実施例＞
図６は、本発明の第３実施例を示したもので、本実施例においては、図１に示す構成の撮像レンズ１と同様に、第２レンズ４の第２面と撮像面７との間にフィルタ６としてのカバーガラスを配置している。
【００６９】
この第３実施例の撮像レンズ１は、以下の条件に設定されている。
【００７０】
レンズデータ
ｆｌ＝２．３３ｍｍ、ｆ１＝２．２１ｍｍ、ｆ２＝５．０３ｍｍ、Ｆｎｏ＝３．５、ω＝５９．７°
面番号                     ｒ         ｄ         ｎｄ        νｄ
（物点）
１（第１レンズ第１面）    0.64        0.56        1.5310        56.0
２（第１レンズ第２面）    0.99        0.10
３（絞り）                0.00        0.12
４（第２レンズ第１面）   -1.00        0.85        1.5310        56.0
５（第２レンズ第２面）   -0.94        0.00
６（カバーガラス第１面）  0.00        0.30        1.5168        64.0
７（カバーガラス第２面）  0.00
（像面）
面番号   ｋ           Ａ           Ｂ          Ｃ         Ｄ
１     0           -1.79E-2       1.21       -5.60        1.45E+1
２    -1.49E-1      1.07E-1       1.18E-1    2.57E+1    -3.69E+2
４     0           -1.83          9.58       -2.47E+2     0
５     6.11E-1      1.18E-1      -8.76E-1    2.10        -2.15
【００７１】
このような条件の下で、（ｒ３＋ｒ４）／（ｒ３−ｒ４）＝３５となり、（１）式を満足するものであった。また、ｆ１／ｆｌ＝０．９５となり、（２）式を満足するものであった。さらに、ｆ１／ｆ２＝０．４４となり、（３）式を満足するものであった。さらにまた、ｄ４／ｒ３＝−０．８５となり、（４）式を満足するものであった。また、ｒ１／ｒ２＝０．６５となり、（５）式を満足するものであった。
【００７２】
この第３実施例の撮像レンズ１における球面収差、非点収差およびディストーションを図７に示す。
【００７３】
この結果によれば、球面収差、非点収差およびディストーションのいずれもほぼ満足できる結果となり、充分な光学特性を得ることができることが分かる。
【００７４】
＜第４実施例＞
図８は、本発明の第４実施例を示したもので、本実施例においては、図１に示す構成の撮像レンズ１と同様に、第２レンズ４の第２面と撮像面７との間にフィルタ６としてのカバーガラスを配置している。
【００７５】
この第４実施例の撮像レンズ１は、以下の条件に設定されている。
レンズデータ
ｆｌ＝２．３９ｍｍ、ｆ１＝２．２８ｍｍ、ｆ２＝５．７７ｍｍ、Ｆｎｏ＝３．５、ω＝５８．３°
面番号                     ｒ         ｄ         ｎｄ        νｄ
（物点）
１（第１レンズ第１面）    0.66        0.56        1.5310        56.0
２（第１レンズ第２面）    1.01        0.10
３（絞り）                0.00        0.13
４（第２レンズ第１面）   -1.06        0.83        1.5310        56.0
５（第２レンズ第２面）   -1.00        0.00
６（カバーガラス第１面）  0.00        0.30        1.5168        64.0
７（カバーガラス第２面）  0.00
（像面）
面番号   ｋ           Ａ           Ｂ          Ｃ         Ｄ
１     0           -1.00E-2       1.09       -5.01        1.30E+1
２     7.08E-1      1.88E-1      -5.06        1.07E+2    -7.60E+2
４     0           -1.59          6.93       -1.77E+2     0
５     7.78E-1      8.89E-2      -7.44E-1    1.76        -1.87
【００７６】
このような条件の下で、（ｒ３＋ｒ４）／（ｒ３−ｒ４）＝３４となり、（１）式を満足するものであった。また、ｆ１／ｆｌ＝０．９５となり、（２）式を満足するものであった。さらに、ｆ１／ｆ２＝０．３９となり、（３）式を満足するものであった。さらにまた、ｄ４／ｒ３＝−０．７８となり、（４）式を満足するものであった。また、ｒ１／ｒ２＝０．６５となり、（５）式を満足するものであった。
【００７７】
この第４実施例の撮像レンズ１における球面収差、非点収差およびディストーションを図９に示す。
【００７８】
この結果によれば、球面収差、非点収差およびディストーションのいずれもほぼ満足できる結果となり、充分な光学特性を得ることができることが分かる。
【００７９】
＜第５実施例＞
図１０は、本発明の第５実施例を示したもので、本実施例においては、図１に示す構成の撮像レンズ１と同様に、第２レンズ４の第２面と撮像面７との間にフィルタ６としてのカバーガラスを配置している。
【００８０】
この第５実施例の撮像レンズ１は、以下の条件に設定されている。
【００８１】
レンズデータ
ｆｌ＝２．３３ｍｍ、ｆ１＝２．２２ｍｍ、ｆ２＝４．５４ｍｍ、Ｆｎｏ＝３．５、ω＝５９．７°
面番号                     ｒ         ｄ         ｎｄ        νｄ
（物点）
１（第１レンズ第１面）    0.64        0.56        1.5310        56.0
２（第１レンズ第２面）    0.99        0.10
３（絞り）                0.00        0.11
４（第２レンズ第１面）   -0.97        0.90        1.5310        56.0
５（第２レンズ第２面）   -0.91        0.00
６（カバーガラス第１面）  0.00        0.30        1.5168        64.0
７（カバーガラス第２面）  0.00
（像面）
面番号   ｋ           Ａ           Ｂ          Ｃ         Ｄ
１     0           -2.02E-2       1.23       -5.57        1.43E+1
２    -7.01E-2      2.22E-2       2.13       -1.44E+1    -1.40E+2
４     0           -1.95          1.16E+1    -2.83E+2     0
５     4.68E-1      1.01E-1      -6.83E-1    1.55        -1.49
【００８２】
このような条件の下で、（ｒ３＋ｒ４）／（ｒ３−ｒ４）＝３４となり、（１）式を満足するものであった。また、ｆ１／ｆｌ＝０．９５となり、（２）式を満足するものであった。さらに、ｆ１／ｆ２＝０．４９となり、（３）式を満足するものであった。さらにまた、ｄ４／ｒ３＝−０．９３となり、（４）式を満足するものであった。また、ｒ１／ｒ２＝０．６５となり、（５）式を満足するものであった。
【００８３】
この第５実施例の撮像レンズ１における球面収差、非点収差およびディストーションを図１１に示す。
【００８４】
この結果によれば、球面収差、非点収差およびディストーションのいずれもほぼ満足できる結果となり、充分な光学特性を得ることができることが分かる。
【００８５】
＜第６実施例＞
図１２は、本発明の第６実施例を示したもので、本実施例においては、図１に示す構成の撮像レンズ１と同様に、第２レンズ４の第２面と撮像面７との間にフィルタ６としてのカバーガラスを配置している。
【００８６】
この第６実施例の撮像レンズ１は、以下の条件に設定されている。
【００８７】
レンズデータ
ｆｌ＝２．４１ｍｍ、ｆ１＝２．２９ｍｍ、ｆ２＝８．３５ｍｍ、Ｆｎｏ＝３．５、ω＝５７．９°
面番号                     ｒ         ｄ         ｎｄ        νｄ
（物点）
１（第１レンズ第１面）    0.67        0.58        1.5310        56.0
２（第１レンズ第２面）    1.02        0.10
３（絞り）                0.00        0.15
４（第２レンズ第１面）   -1.20        0.69        1.5310        56.0
５（第２レンズ第２面）   -1.13        0.00
６（カバーガラス第１面）  0.00        0.30        1.5168        64.0
７（カバーガラス第２面）  0.00
（像面）
面番号   ｋ           Ａ           Ｂ          Ｃ         Ｄ
１     0           -1.88E-2       7.18E-1    -3.22        7.69
２     5.41E-1      2.62E-1      -4.96        9.88E+1    -6.28E+2
４     0           -1.46          5.70       -1.33E+2     0
５     1.53         7.40E-2      -1.09        2.95        -3.78
【００８８】
このような条件の下で、（ｒ３＋ｒ４）／（ｒ３−ｒ４）＝３５となり、（１）式を満足するものであった。また、ｆ１／ｆｌ＝０．９５となり、（２）式を満足するものであった。さらに、ｆ１／ｆ２＝０．２７となり、（３）式を満足するものであった。さらにまた、ｄ４／ｒ３＝−０．５７となり、（４）式を満足するものであった。また、ｒ１／ｒ２＝０．６５となり、（５）式を満足するものであった。
【００８９】
この第６実施例の撮像レンズ１における球面収差、非点収差およびディストーションを図１３に示す。
【００９０】
この結果によれば、球面収差、非点収差およびディストーションのいずれもほぼ満足できる結果となり、充分な光学特性を得ることができることが分かる。
【００９１】
＜第７実施例＞
図１４は、本発明の第７実施例を示したもので、本実施例においては、図１に示す構成の撮像レンズ１と同様に、第２レンズ４の第２面と撮像面７との間にフィルタ６としてのカバーガラスを配置している。
【００９２】
この第７実施例の撮像レンズ１は、以下の条件に設定されている。
【００９３】
レンズデータ
ｆｌ＝２．４１ｍｍ、ｆ１＝２．２９ｍｍ、ｆ２＝７．１８ｍｍ、Ｆｎｏ＝３．５、ω＝５７．９°
面番号                     ｒ         ｄ         ｎｄ        νｄ
（物点）
１（第１レンズ第１面）    0.69        0.65        1.5310        56.0
２（第１レンズ第２面）    1.06        0.10
３（絞り）                0.00        0.14
４（第２レンズ第１面）   -1.10        0.69        1.5310        56.0
５（第２レンズ第２面）   -1.04        0.00
６（カバーガラス第１面）  0.00        0.30        1.5168        64.0
７（カバーガラス第２面）  0.00
（像面）
面番号   ｋ           Ａ           Ｂ          Ｃ         Ｄ
１     0           -2.40E-2       4.16E-1   -1.56         3.12
２     3.90E-1      1.59E-1      -2.78        4.81E+1    -3.23E+2
４     0           -1.61          7.79       -1.78E+2     0
５     1.28         7.67E-2      -1.19        3.46        -4.52
【００９４】
このような条件の下で、（ｒ３＋ｒ４）／（ｒ３−ｒ４）＝３５となり、（１）式を満足するものであった。また、ｆ１／ｆｌ＝０．９５となり、（２）式を満足するものであった。さらに、ｆ１／ｆ２＝０．３２となり、（３）式を満足するものであった。さらにまた、ｄ４／ｒ３＝−０．６２となり、（４）式を満足するものであった。また、ｒ１／ｒ２＝０．６５となり、（５）式を満足するものであった。
【００９５】
この第７実施例の撮像レンズ１における球面収差、非点収差およびディストーションを図１５に示す。
【００９６】
この結果によれば、球面収差、非点収差およびディストーションのいずれもほぼ満足できる結果となり、充分な光学特性を得ることができることが分かる。
【００９７】
＜第８実施例＞
図１６は、本発明の第８実施例を示したもので、本実施例においては、図１に示す構成の撮像レンズ１と同様に、第２レンズ４の第２面と撮像面７との間にフィルタ６としてのカバーガラスを配置している。
【００９８】
この第８実施例の撮像レンズ１は、以下の条件に設定されている。
【００９９】
レンズデータ
ｆｌ＝２．２９ｍｍ、ｆ１＝２．１８ｍｍ、ｆ２＝４．８３ｍｍ、Ｆｎｏ＝３．５、ω＝６０．５°
面番号                     ｒ         ｄ         ｎｄ        νｄ
（物点）
１（第１レンズ第１面）    0.65        0.56        1.5310        56.0
２（第１レンズ第２面）    1.03        0.10
３（絞り）                0.00        0.12
４（第２レンズ第１面）   -1.06        0.88        1.5310        56.0
５（第２レンズ第２面）   -0.97        0.00
６（カバーガラス第１面）  0.00        0.30        1.5168         64.0
７（カバーガラス第２面）  0.00
（像面）
面番号   ｋ           Ａ           Ｂ          Ｃ         Ｄ
１     0           -1.70E-2       1.11       -5.15        1.31E+1
２     5.77E-2      4.87E-2       1.49        1.22E+1    -2.95E+2
４     0           -1.71          7.84       -2.10E+2     0
５     6.02E-1      1.78E-1      -1.11        2.49       -2.28
【０１００】
このような条件の下で、（ｒ３＋ｒ４）／（ｒ３−ｒ４）＝２２となり、（１）式を満足するものであった。また、ｆ１／ｆｌ＝０．９５となり、（２）式を満足するものであった。さらに、ｆ１／ｆ２＝０．４５となり、（３）式を満足するものであった。さらにまた、ｄ４／ｒ３＝−０．８４となり、（４）式を満足するものであった。また、ｒ１／ｒ２＝０．６３となり、（５）式を満足するものであった。
【０１０１】
この第８実施例の撮像レンズ１における球面収差、非点収差およびディストーションを図１７に示す。
【０１０２】
この結果によれば、球面収差、非点収差およびディストーションのいずれもほぼ満足できる結果となり、充分な光学特性を得ることができることが分かる。
【０１０３】
＜第９実施例＞
図１８は、本発明の第９実施例を示したもので、本実施例においては、図１に示す構成の撮像レンズ１と同様に、第２レンズ４の第２面と撮像面７との間にフィルタ６としてのカバーガラスを配置している。
【０１０４】
この第９実施例の撮像レンズ１は、以下の条件に設定されている。
【０１０５】
レンズデータ
ｆｌ＝２．３２ｍｍ、ｆ１＝２．２０ｍｍ、ｆ２＝４．８０ｍｍ、Ｆｎｏ＝３．５、ω＝６０．０°
面番号                     ｒ         ｄ         ｎｄ        νｄ
（物点）
１（第１レンズ第１面）    0.66        0.58        1.5310        56.0
２（第１レンズ第２面）    1.05        0.10
３（絞り）                0.00        0.13
４（第２レンズ第１面）   -1.08        0.90        1.5310        56.0
５（第２レンズ第２面）   -0.98        0.00
６（カバーガラス第１面）  0.00        0.30        1.5168        64.0
７（カバーガラス第２面）  0.00
（像面）
面番号   ｋ           Ａ           Ｂ          Ｃ         Ｄ
１     0           -2.45E-2       1.04       -4.67        1.11E+1
２     4.84E-2      1.00E-1       2.62E-1     3.54E+1   -4.07E+2
４     0           -1.64          7.45       -1.86E+2     0
５     6.00E-1      1.47E-1      -9.11E-1     1.94       -1.73
【０１０６】
このような条件の下で、（ｒ３＋ｒ４）／（ｒ３−ｒ４）＝２０となり、（１）式を満足するものであった。また、ｆ１／ｆｌ＝０．９５となり、（２）式を満足するものであった。さらに、ｆ１／ｆ２＝０．４６となり、（３）式を満足するものであった。さらにまた、ｄ４／ｒ３＝−０．８３となり、（４）式を満足するものであった。また、ｒ１／ｒ２＝０．６３となり、（５）式を満足するものであった。
【０１０７】
この第９実施例の撮像レンズ１における球面収差、非点収差およびディストーションを図１９に示す。
【０１０８】
この結果によれば、球面収差、非点収差およびディストーションのいずれもほぼ満足できる結果となり、充分な光学特性を得ることができることが分かる。
【０１０９】
＜第１０実施例＞
図２０は、本発明の第１０実施例を示したもので、本実施例においては、図１に示す構成の撮像レンズ１と同様に、第２レンズ４の第２面と撮像面７との間にフィルタ６としてのカバーガラスを配置している。
【０１１０】
この第１０実施例の撮像レンズ１は、以下の条件に設定されている。
【０１１１】
レンズデータ
ｆｌ＝２．０７ｍｍ、ｆ１＝１．８１ｍｍ、ｆ２＝４．９５ｍｍ、Ｆｎｏ＝３．５、ω＝６４．８°
面番号                     ｒ         ｄ         ｎｄ        νｄ
（物点）
１（第１レンズ第１面）    0.60        0.64        1.5310        56.0
２（第１レンズ第２面）    1.00        0.06
３（絞り）                0.00        0.12
４（第２レンズ第１面）   -1.01        0.88        1.5310        56.0
５（第２レンズ第２面）   -0.95        0.00
６（カバーガラス第１面）  0.00        0.30        1.5168        64.0
７（カバーガラス第２面）  0.00
（像面）
面番号   ｋ           Ａ           Ｂ          Ｃ         Ｄ
１     0           -1.07E-1       1.14       -5.17        1.04E+1
２    -8.46E-1      1.32E-1       5.98       -8.15       -4.67E+2
４     0           -2.17          1.21E+1    -3.08E+2     0
５     6.70E-1      1.93E-1      -1.75        4.32       -3.95
【０１１２】
このような条件の下で、（ｒ３＋ｒ４）／（ｒ３−ｒ４）＝３３となり、（１）式を満足するものであった。また、ｆ１／ｆｌ＝０．８７となり、（２）式を満足するものであった。さらに、ｆ１／ｆ２＝０．３６となり、（３）式を満足するものであった。さらにまた、ｄ４／ｒ３＝−０．８７となり、（４）式を満足するものであった。また、ｒ１／ｒ２＝０．６０となり、（５）式を満足するものであった。
【０１１３】
この第１０実施例の撮像レンズ１における球面収差、非点収差およびディストーションを図２１に示す。
【０１１４】
この結果によれば、球面収差、非点収差およびディストーションのいずれもほぼ満足できる結果となり、充分な光学特性を得ることができることが分かる。
【０１１５】
＜第１１実施例＞
図２２は、本発明の第１１実施例を示したもので、本実施例においては、図１に示す構成の撮像レンズ１と同様に、第２レンズ４の第２面と撮像面７との間にフィルタ６としてのカバーガラスを配置している。
【０１１６】
この第１１実施例の撮像レンズ１は、以下の条件に設定されている。
【０１１７】
レンズデータ
ｆｌ＝２．２ｍｍ、ｆ１＝２．１０ｍｍ、ｆ２＝５．５４ｍｍ、Ｆｎｏ＝３．５、ω＝６１．３°
面番号                     ｒ         ｄ         ｎｄ        νｄ
（物点）
１（第１レンズ第１面）    0.65        0.54        1.5310        56.0
２（第１レンズ第２面）    1.09        0.12
３（絞り）                0.00        0.18
４（第２レンズ第１面）   -1.00        0.69        1.5310        56.0
５（第２レンズ第２面）   -0.92        0.00
６（カバーガラス第１面）  0.00        0.30        1.5168        64.0
７（カバーガラス第２面）  0.00
（像面）
面番号   ｋ           Ａ           Ｂ          Ｃ         Ｄ
１     0           -8.26E-2       1.14       -5.07        1.10E+1
２    -1.83         3.33E-2       4.38        4.83       -1.87E+2
４     0           -2.00          1.32E+1    -2.16E+2     0
５     8.29E-1      1.54E-1      -1.51        4.55       -5.60
【０１１８】
このような条件の下で、（ｒ３＋ｒ４）／（ｒ３−ｒ４）＝２６となり、（１）式を満足するものであった。また、ｆ１／ｆｌ＝０．９６となり、（２）式を満足するものであった。さらに、ｆ１／ｆ２＝０．３８となり、（３）式を満足するものであった。さらにまた、ｄ４／ｒ３＝−０．６９となり、（４）式を満足するものであった。また、ｒ１／ｒ２＝０．５９となり、（５）式を満足するものであった。
【０１１９】
この第１１実施例の撮像レンズ１における球面収差、非点収差およびディストーションを図２３に示す。
【０１２０】
この結果によれば、球面収差、非点収差およびディストーションのいずれもほぼ満足できる結果となり、充分な光学特性を得ることができることが分かる。
【０１２１】
なお、本発明は前記実施例のものに限定されるものではなく、必要に応じて種々変更することが可能である。
【０１２２】
例えば、第１および第２レンズの材料として、樹脂材料以外の透光性材料を適宜用いるようにしてもよい。
【図面の簡単な説明】
【０１２３】
【図１】本発明に係る撮像レンズおよびこれを備えた撮像装置の実施の一形態を示す概略構成図
【図２】本発明に係る撮像レンズの第１実施例を示す概略構成図
【図３】図２に示す撮像レンズにおける球面収差、非点収差およびディストーションを示す説明図
【図４】本発明に係る撮像レンズの第２実施形態を示す概略構成図
【図５】図４に示す撮像レンズにおける球面収差、非点収差およびディストーションを示す説明図
【図６】本発明に係る撮像レンズの第３実施形態を示す概略構成図
【図７】図６に示す撮像レンズにおける球面収差、非点収差およびディストーションを示す説明図
【図８】本発明に係る撮像レンズの第４実施形態を示す概略構成図
【図９】図８に示す撮像レンズにおける球面収差、非点収差およびディストーションを示す説明図
【図１０】本発明に係る撮像レンズの第５実施形態を示す概略構成図
【図１１】図１０に示す撮像レンズにおける球面収差、非点収差およびディストーションを示す説明図
【図１２】本発明に係る撮像レンズの第６実施形態を示す概略構成図
【図１３】図１２に示す撮像レンズにおける球面収差、非点収差およびディストーションを示す説明図
【図１４】本発明に係る撮像レンズの第７実施形態を示す概略構成図
【図１５】図１４に示す撮像レンズにおける球面収差、非点収差およびディストーションを示す説明図
【図１６】本発明に係る撮像レンズの第８実施形態を示す概略構成図
【図１７】図１６に示す撮像レンズにおける球面収差、非点収差およびディストーションを示す説明図
【図１８】本発明に係る撮像レンズの第９実施形態を示す概略構成図
【図１９】図１８に示す撮像レンズにおける球面収差、非点収差およびディストーションを示す説明図
【図２０】本発明に係る撮像レンズの第１０実施形態を示す概略構成図
【図２１】図２０に示す撮像レンズにおける球面収差、非点収差およびディストーションを示す説明図
【図２２】本発明に係る撮像レンズの第１１実施形態を示す概略構成図
【図２３】図２２に示す撮像レンズにおける球面収差、非点収差およびディストーションを示す説明図
【符号の説明】
【０１２４】
１  撮像レンズ
２  第１レンズ
３  絞り
４  第２レンズ
６  フィルタ
７  撮像面
【図１】
2008129348.tif 000003
【図２】
2008129348.tif 000004
【図３】
2008129348.tif 000005
【図４】
2008129348.tif 000006
【図５】
2008129348.tif 000007
【図６】
2008129348.tif 000008
【図７】
2008129348.tif 000009
【図８】
2008129348.tif 000010
【図９】
2008129348.tif 000011
【図１０】
2008129348.tif 000012
【図１１】
2008129348.tif 000013
【図１２】
2008129348.tif 000014
【図１３】
2008129348.tif 000015
【図１４】
2008129348.tif 000016
【図１５】
2008129348.tif 000017
【図１６】
2008129348.tif 000018
【図１７】
2008129348.tif 000019
【図１８】
2008129348.tif 000020
【図１９】
2008129348.tif 000021
【図２０】
2008129348.tif 000022
【図２１】
2008129348.tif 000023
【図２２】
2008129348.tif 000024
【図２３】
2008129348.tif 000025